Podtech/llm-jp-corpus-v4-ja_patent huggingface dataset:
(57)【要約】      （修正有）【課題】一日の終わりにその日の処方された薬の分量が服用されたのか、患者本人・家族や老人福祉施設・介護施設等の介護者・介助者等が一目瞭然に分かるカレンダーを提供する。【解決手段】１月から１２月までの月めくりカレンダー台紙１の日にち欄４毎の下部に、透明又は半透明の薄手樹脂フィルム・薄手樹脂シートでマチ付（中央部折返）ポケット５を設ける。日にち欄毎のマチ付（中央折返）ポケット５の左端・右端・下部は台紙に接合しているものとする（マチの中央部折返も台紙に接合する）。マチの中央部折返７の下部も台紙に接合していることにより、少量の薬や少量レシート・領収書類の場合でも、ポケット上部がむやみに広がらない。【選択図】図１
2020026126.tif 000002
【特許請求の範囲】
【請求項１】
月めくりカレンダー台紙（１）の日付欄（４）の下部に薄手樹脂フィルム又は薄手樹脂シート等でマチ付（中央部折返）ポケット（５）を設ける。
【請求項２】
マチ付（中央部折返）ポケット（５）は中央部に折り返し（７）がしてあり、折り返し部分（７）の下部（６）も月めくりカレンダー台紙（１）と接合している月めくりカレンダー。
【発明の詳細な説明】
【技術分野】
【０００１】  この発明は、月めくりカレンダーの日にち欄の下部にマチ付（中央部折返）ポケットを設け錠剤などの薬や、日々レシート・領収書類の保管など多用途に使える月めくりカレンダーに関するものである。
【背景技術】
【０００２】  （イ）病院・薬局等医療機関から処方された薬を薬袋に入れて保管しているが、一日の    終わりにその日の分量を服用したのか、患者本人・家族・介護者・介助者等が分から    ない場合がある。
（ロ）毎日の買い物時のレシート、領収書類の保管が煩雑で、時間の経過とともに失く    すことも多々あり、後日、家計簿・帳簿類を整理する際、困ることがある。
（ハ）単に月めくりカレンダーに袋類または収納ボックス類を設けただけでは薬やレシ    ート・領収書の多加に対応できない。
（ニ）月めくりカレンダーと袋類又は収納ボックス類を別に作成、上下に重ねる場合、    月めくりカレンダーの寸法に合わせて袋類又は収納ボックス類を別に作成しなければ    ならず、大量作成にそぐわない。
【先行技術文献】
【特許文献】
【特許文献１】特開２００２−１２３１７３号
【発明の概要】
【発明が解決しようとする課題】
【０００４】（イ）処方された薬がその日に服用済なのか、薬の分量をその日ごとにマチ付（中央部折  返）ポケットに小分けすることにより患者本人・家族が容易に確認できるようにするこ  と。及び、老人福祉施設・介護施設等において、介護者・介助者が入居者のその日の薬  を服用済なのか容易に確認できるようにすること。また、患者・入居者毎に薬の量は異  なるため、それに対応できるようにすること。
（ロ）レシート・領収書類を日付順に保管整理できるようにすることにより、後日、家計  簿、帳簿類を日付順に間違いなく記帳できるようにすること。又、日々のレシート・領  収書類の枚数が異なるため、少ないとき・多いときに対応できるようにすること。
（ニ）１月から１２月の月めくりカレンダーセットの厚みが現在の月めくりカレンダーセ  ットとさほど変わらないようにすること。
【課題を解決するための手段】
【０００５】  本考案は、１月から１２月までの月めくりカレンダー台紙（１）の日にち欄（４）の下部に透明又は半透明の薄手樹脂フィルム・薄手樹脂シートをマチ付（中央部折返）ポケット（５）として設けるものである。
なお、日にち欄毎のマチ付（中央部折返）ポケット（５）の左端・右端・下部（６）は台紙に接合しているものとする（マチの中央部折返も台紙に接合）。マチの中央部折返（７）の下部（６）が台紙（１）に接合していることにより、少量の薬や少量レシート・領収書類の場合でも、ポケット上部がむやみに広がらない。
【発明の効果】
【０００６】  本考案によれば、次のような利点がある。
（イ）マチ付（中央部折返）ポケットであり、薬の多加に対応することができる。
（ロ）マチ付（中央部折返）ポケットを確認すれば、毎日の薬の服用状況が患者本人・家族・介護者・介助者等把握できる。
（ハ）マチ付（中央部折返）ポケットにレシート・領収書類をその都度保管することにより、レシート・領収書類の散逸がなくなる。
（ニ）レシート・領収書類が保管されていることにより、家計簿・帳簿類が確実に日付順に記帳できる。
（ホ）少量の薬や少量のレシート・領収書類の場合でもマチ部分の下部が閉じていることにより上部の開く力が抑制される。
（ヘ）マチ付（中央部折返）ポケットは月めくりカレンダーの一部を形成しており、１月から１２月までを１セットとすることが出来る。
【図面の簡単な説明】
【０００７】
【図１】本発明の斜視図である。
【図２】本発明の当初（活用前）の断面図である。
【図３】本発明を使用中（活用）の断面図である。
【発明を実施するための形態】
【０００８】  本発明を実施するための形態について説明する。
月めくりカレンダー（１）の日にち欄（４）の下部に、薄手樹脂フィルム又は薄手樹脂シートでマチ付（中央部折返）ポケット（５）（７）を設ける。
マチ付（中央部折返）ポケットの左端・右端・下部は台紙に接合している。
マチの中央部折返の下部（６）も台紙に接合している。
台紙（１）１２枚で１年分である。
本発明は、以上のような構造である。
【符号の説明】
【０００９】  １  月めくりカレンダー台紙
２  月欄
３  曜日欄
４  日にち欄
５  マチ付（中央部折返）ポケット
６  マチ付（中央部折返）ポケット下部
７  マチ（中央部折返）部分
【図１】
2020026126.tif 000003
【図２】
2020026126.tif 000004
【図３】
2020026126.tif 000005
(57)【要約】【課題】デスクワークを行っているとき、書類が乱雑になり、席を外した際にペン等書くものが書類の中にまぎれ込み無くなってしまい、イライラすることが多々ある。【解決手段】ペンが立てられるよう工夫した文鎮を作成し、▲１▼ペンを立てる機能  ▲２▼紙の上に乗せ紙が飛ばないようにする機能  ▲３▼文鎮表面に文字を印字し気分転換をする機能  ▲４▼材料をレーザー機にてカットすることにより断面にしわができ、メッキ処理をして光沢をつけた際キラキラした光沢を発し、きれいに輝かす機能。【選択図】図１
2020075469.tif 000002
【特許請求の範囲】
【請求項１】
一端に設けられた第一の径の貫通穴と他端に設けられた第ニの径の貫通穴を有し、長さ７ｃｍ〜９ｃｍ、幅２ｃｍ〜２．５ｃｍ、厚さ１．２ｃｍ〜１．６ｃｍからなる金属で構成された文鎮。
【請求項２】
請求項１記載の文鎮において、表面に文字が記載されていることを特徴とする文鎮。
【請求項３】
請求項１又は２に記載の文鎮において、レーザー加工の特性を活用した断面粗さをそのままにし、荒削り感のある表面にメッキ処理を行い乱反射させた文鎮。
【発明の詳細な説明】
【技術分野】
【０００１】この発明は、ペンが立てられる文鎮に関する。
【背景技術】
【０００２】従来、金属・樹脂の文鎮でおもり以外の機能を持たせたものが有った。
【先行技術文献】
【特許文献】
【０００３】
【特許文献１】特開２０１４−２１０３９０
【発明の概要】
【発明が解決しようとする課題】
【０００４】これは次のような課題があった。
デスクワークを行っているとき、書類が乱雑になり、席を外した際にペン等書くものが書類の中にまぎれ込み見つからなくなってしまいイライラすることが多々ある。又、現代のストレス社会においてはそれ以外にもデスクワーク中にイライラすることがある。
【課題を解決するための手段】
【０００５】この発明の文鎮は、一端に設けられた第一の径の貫通穴と他端に設けられた第ニの径の貫通穴を有し、長さ７ｃｍ〜９ｃｍ、幅２ｃｍ〜２．５ｃｍ、厚さ１．２ｃｍ〜１．６ｃｍからなる金属で構成されたものである。
【発明の効果】
【０００６】デスクワークをする際のペンの紛失を防ぐ整理器具、メモや書類が風などで飛んでしまう紛失防止はもちろんのこと、言葉の印字によるリラクゼーション効果やレーザー加工断面が生み出す新感覚の光沢によるリラクゼーションのダブル効果で紛失のイライラやストレスを緩和させる、仕事をする上で日常的に目にする健康事務整理製品である。
文鎮としての効果：金属なので重し効果がある。
ペン立てとしての効果：ペンを刺して保持できる径及び深さを有する、又、大きさの異なる複数の穴を有するので、通常同時に使われるボールペン及びラインマーカーを両立保持できる便利、更に、３つ以上の穴を設けておけば、複数色のボールペン又は複数色のラインマーカーを保持できる。
リラクゼーション効果：表面に刻まれた例えば、名言や座右の銘での人の心へのなごみ、レーザー加工による心地良い光沢を演出できることにより人の仕事のなごみを得ることができる。
【図面の簡単な説明】
【０００７】
【図１】本発明にかかる文鎮の斜視図である。
【発明を実施するための形態】
【０００８】以下、図面を参照して本発明の実施の形態について説明する。
本発明の文鎮はペン穴１とマーカー穴２を有する文鎮本体３からなる。文鎮本体３の形状は直方体、長楕円柱にすることができる。特に、長楕円柱にすることにより、取扱いの際、その角による怪我を減らすことができる。
材質は特に金属材料として鉄・真鍮・銅・アルミニウムを用いることができる。特に鉄を用いると、安価で重いものを作成することができる。これを鍍金コーティングすることにより、錆を防止したり、金属光沢の輝きを長持ちさせたりすることができて、使用者の精神衛生上に好ましい効果を発揮できる。
文鎮本体３の長さは７ｃｍ〜９ｃｍ、幅は２ｃｍ〜２．５ｃｍ、厚さは１．２ｃｍ〜１．６ｃｍとするのが好ましい。
このように上述のサイズで作成することによりＡ６の紙でもＡ３の紙でも扇風機の風程度では飛散しないで抑えることができる。
文鎮本体３の一端に設けられたペン穴１は直径９ｍｍの貫通穴とし、他端に設けられたマーカー穴２は直径１２ｍｍの貫通穴とすることにより、それぞれボールペンとラインマーカーを差し込んだ際に立てて保持することができる。さらに必要に応じて穴を増やすことにより立てられるボールペン又はラインマーカーを増やすことができる。
鉄材をレーザー加工で切ることにより、側面４に荒削り感を出し、亜鉛メッキ等の表面処理することにより新感覚の光沢を生み出すことができる。さらには、レーザー加工機の機能を活用し、文字５を印字する。文字５の刻印は「今日も笑顔で」「報告・連絡・相談」「整理・整頓」など自分自身への叱咤激励とすることができる。
以上の機能を集合させた、事務用品と健康管理を併せ持った健康文具を開発した。
【符号の説明】１  ペン穴
２  マーカー穴
３  文鎮本体
４  側面
５  文字
【図１】
2020075469.tif 000003
(57)【要約】      （修正有）【課題】ごみをまとめる際小さくする方法を提供する。【解決手段】商品の袋にシール機能を付け、箱の一部は差し込み機能を作ることでごみをコンパクトにまとめる。【選択図】図１
2020075757.tif 000002
【特許請求の範囲】
【請求項１】
商品の袋にシール機能を付け、箱の一部は差し込み機能を作ることでごみをコンパクトにまとめるという知的財産。
【発明の詳細な説明】
【技術分野】
【０００１】環境問題
【背景技術】
【０００２】商品の入れ物にシール機能または差し込み機能を付ける
【先行技術文献】
再密閉可能なフレキシブル包装（ｆｌｅｘｉｂｌｅ  ｐａｃｋａｇｉｎｇ）およびそのフレキシブル包装を製造するための方法
【特許文献】
【０００３】
【特許文献１】Ｂ６５Ｄ３０／１０
【特許文献２】Ｂ６５Ｄ３３／００
【特許文献３】Ｂ３１Ｂ１／８８
【特許文献４】Ｂ３１Ｂ１／８６
【発明の概要】
【発明が解決しようとする課題】ごみ問題。
【課題を解決するための手段】ごみを捨てる際小さくする。
【発明の効果】使用後折り畳み可能な商品すべてにこの機能をつければごみは再度広がることがなく、ごみ袋に入る量が増え一度に出すごみの量が減る事。カレールーなど匂いのあるものは匂いが防げる事。企業は環境に配慮しているというアピールが出来る事。
【図面の簡単な説明】
【図１】製品にシール機能または差し込み機能がついており丸めた際広がることを防止する。
【発明を実施するための形態】
販売元への打診。
【実施例】詰め替え用の洗剤を販売している会社の開発部に打診。
【産業上の利用可能性】この機能を用いごみが減ることで回収車のアイドリング時間が減り、ガソリン使用量や二酸化炭素排出量を減らせる可能性がある。
【図１】
2020075757.tif 000003
(57)【要約】【課題】傘をさした時に軽く扱い易い様に、柄の長さを調整できる傘を提供する。【解決手段】傘の手元に続く柄（１）と傘の本体に続く柄（２）とに分割する。柄（１）が柄（２）に入り込む傘を特徴とする。【選択図】図２
2020075072.tif 000002
【特許請求の範囲】
【請求項１】
傘の柄を分割し、片方の柄をもう一方の柄の中に差し込み、長さを短くできる傘
【発明の詳細な説明】
【技術分野】
【０００１】この発明は傘の柄を二重構造にして、長さを短くできる傘に関するものである。
【背景技術】
【０００２】従来、傘をさす時、柄の長さは一定であった。
【発明の開示】
【発明が解決しようとする課題】
【０００３】これは、次のような欠点があった。
従来の傘はサイズが大きくなれば、当然、柄も長くなり、さす時に手元と上部の本体との距離が長くなり、取扱にも大きな力が必要となる。
本発明は、以上のような欠点をなくすためのものである。
【課題を解決するための手段】
【０００４】傘の手元に続く柄（１）、傘の本体に続く柄（２）、
（１）、（２）とをつなぐための、はじき（３）、（４）を設ける
本発明は、以上の構成により長さを短くできる傘である。
【発明の効果】
【０００５】傘の柄が短くなり、さす時の力効率が良くなり、取り回しが楽になる。今までよりも大きな傘をさすことも可能になる。
【発明を実施するための最良の形体】
【０００６】以下、本発明を実施するための最良の形態について説明する。
手元側の柄（１）に２箇所はじきを取り付け、本体側の柄（２）の中に差し入れした時、切り込みで固定する様にし、長さの調整を行い短くしてさすことができる。
【図面の簡単な説明】
【０００７】
【図１】  本発明の実施前の図である。
【図２】  本発明の実施中の図である。
【符号の説明】
【０００８】  １  手元の中棒
２  本体に続く中棒
３  下はじき
４  中はじき
５  はじき用切り込み
【図１】
2020075072.tif 000003
【図２】
2020075072.tif 000004
(57)【要約】【課題】男子が小便をする際、洋式便器の便座の下部分に小便が掛からないように、貼りつけて汚れを防ぐシートを提供する。【解決手段】洋式便器の便座下部形状の素材（１）の底面に、粘着剤（２）を付けて幾重にも重ねたシートを特徴とする。【選択図】図１
2020075068.tif 000002
【特許請求の範囲】
【請求項１】
便器形状の素材（１）の底面に粘着剤（２）を付けたシートを幾重にも重ねた便器の防汚シート。
【発明の詳細な説明】
【技術分野】
【０００１】この発明は、洋式便器の便座の下部分に貼りつける、便器の防汚シートに関するものである。
【背景技術】
【０００２】本来、洋式便器の便座の下の部分は、便座をはね上げるとむき出しの状態であり、汚れやすく且つ不衛生になりやすかった。
【先行技術文献】
【特許文献】
【０００３】
【特許文献１】
【発明の概要】
【発明が解決しようとする課題】
【０００４】これは、次のような問題があった。
洋式便器の便座をはね上げて、男子が小便をする際、便器の便座の下部分に小便が掛かり、大変、不衛生で見た目も不潔であった。また、汚れるたびに掃除することが手間であった。
本発明は、以上の欠点をなくすためになされたものである。
【課題を解決するための手段】
【０００５】便器形状の素材（１）の底面に粘着剤（２）を付けたシートを幾重にも重ねた状態で便器に貼りつける。本発明は、以上の構成よりなる便器の防汚シートである。
【発明の効果】
【０００６】防汚シートが便器を覆っているので、男子の小便が掛かっても、便器の汚れを防げる。
又、この防汚シートは幾重にも重なっており、汚れたシートをはがせばキレイなシートが出てくるので掃除の手間を省くことができる。
【図面の簡単な説明】
【０００７】
【図１】本発明の斜視図である
【図２】本発明の断面図である
【発明を実施するための形態】
【０００８】以下、本発明を実施するための形態について説明する。
洋式便器の便座下部形状の素材（１）の底面に、粘着剤（２）を付ける。
これを幾重にも重ねてシート状にする。本発明は、以上のような構造である。
これを使用する時は、洋式便器の便座の下部分に貼りつける。
そうすることで、男子の小便が掛かっても、便器の汚れを防げる。又、シートは幾重にも重なっており、汚れたシートをはがせばキレイなシートが出現するので、掃除の手間を省くことができる。シートに除菌効果を施せば、さらに衛生的である。
また、シートを水溶性の素材にすれば、使用後に、トイレに流すことも出来る。
【符号の説明】
【０００９】１  洋式便器の便座下部形状の素材
２  粘着剤
【図１】
2020075068.tif 000003
【図２】
2020075068.tif 000004
(57)【要約】      （修正有）【課題】靴内を衛生的な環境にする装置を提供する。【解決手段】本体１の吸気口２に吸入弁３を付けて歩行時の圧力を利用して、弾力性部材４のポンプ効果で空気を給排気する。本体内が減圧になると吸気口２より、外気の新鮮な空気を取り込み、圧力が加わると吸入弁３が閉じて逆流を防ぎ、排気口５より靴内に排出する。排気口は薄いシートが二枚重ねの構造のため大気圧の働きで密着して、逆流防止弁として作動する。弾力性部材には芳香剤を浸透させて、快適な空気を靴内に送り消臭する。【選択図】図１
2020075067.tif 000002
【特許請求の範囲】
【請求項１】
本発明品を剥離可能な接着剤を使用して土踏まずの壁の部分に固定し、ポンプで外気の新鮮な空気を靴内に送り、交換を容易にすることで、靴内を衛生的に利用する。
【請求項２】
ポンプの役目をする、弾力性の部材に芳香剤を浸透させて消臭効果で靴内の環境改善をする。
【発明の詳細な説明】
【技術分野】
【０００１】  この発明は、靴内の土踏まずの壁の部分を利用して、ポンプで外気の新鮮な空気を靴内に送り、芳香剤の効果で快適な環境作りに関するものである。
【背景技術】
【０００２】  靴内を快適な環境にするには、靴本体に送風装置を内臓するか中敷きにいろいろな装置を作り利用していたが、長時間且つ長期間利用することにより衛生的にも問題点が多く、中敷きは高価で頻繁に交換ができず、靴や中敷きの種類によってはサイズを数種類用意する必要があた。
【先行技術文献】
【０００３】  従来は脱着式で土踏まず専用の装置はなっかた。
【発明の概要】
【発明が解決しようとする課題】
【０００４】  靴を長時間利用することにより靴内は蒸れて悪臭や水虫などの悩みがあり、不衛生的であった。
【課題を解決するための手段】
【０００５】  Ｌ字型の袋状（１）の上部の吸気口（２）に吸入弁（３）を取付けて、弾力性部材（４）を中に入れて、歩行時の圧力を利用して、弾力効果で空気を排出口（５）から靴内に排出する。装置の側面には接着剤（６）を付けて靴内の土踏まずの壁に固定して利用する。
【発明の効果】
【０００６】  従来の靴の中敷きは靴内の空気を循環させるため、長時間使用すると衛生的にも環境的に問題があったが、本発明品は、シンプルな構造で安価に製造出来るため、短期間で頻繁に交換する事が出来るので、いつも外気の新鮮な空気を取り込み靴内を衛生的に保ち、芳香剤の効果により快適な環境で靴を長期間利用することが可能である。
【図面の簡単な説明】
【０００７】
【図１】  正面図
【図２】  平面
【図３】  右側面図
【図４】  装着図
【図５】  吸入弁拡大側面図
【発明を実施するための形態】
【０００８】  靴の中の土踏まずの壁の部分にＬ字型の袋状した本体（１）を、剥離可能な接着剤で固定する。歩行した時の圧縮力を利用して弾力性部材（４）のスポンジ効果でポンプとして、本体（１）内の空気を靴内に排出する、減圧になった本体（１）は、ポンプの作用で吸気口から新鮮な空気を取り入れる、その時に排出口（５）は薄いシート状が二枚のため、大気圧の作用で密着して空気の逆流防止弁として作用する。圧力で空気を排出する時は吸入弁（３）が閉じて、空気の逆流を防止して排出口（５）から靴内に排出する。
【０００９】  新鮮な空気を本体（１）の中に取り入れて、弾力性部材（４）に芳香剤を浸透させて、消臭効果のある空気を靴内に送り、衛生的で快適な環境を作る。
【符号の説明】  １  本体
２  吸気口
３  吸気口
４  弾力性部材
５  排出口
６  接着剤
【図１】
2020075067.tif 000003
【図２】
2020075067.tif 000004
【図３】
2020075067.tif 000005
【図４】
2020075067.tif 000006
【図５】
2020075067.tif 000007
(57)【要約】【課題】タオルや衣類用の収納家具は狭い場所でも便利に収納された物を取り出せる家具であるが、家具であるために設置場所のスペース確保が重要で採寸する必要があり、設置スペースがなければ設置不可能だった。  本発明は、収納場所の確保を気にせず、持ち運びにも便利な収納バックを提供する。【解決手段】上端に取っ手を有して手に提げて持つ袋体であって、左右両側は上下へほぼ全開閉できるファスナー等の開閉具が設けてあり、上端縁は、芯材によって閉じられ、その中央部に取っ手があり、取っ手の中心域にフックが設けてあり、内部に収納物が詰められた時には、裾広がりに収納され、持ち運びも可能な事を特徴とする２ＷＡＹタオル衣類収納バック。【選択図】図１
2020075065.tif 000002
【特許請求の範囲】
【請求項１】
上端に取っ手を有して手に提げて持つ袋体であって、左右両側は上下へほぼ全開閉できるファスナー等の開閉具が設けてあり、上端縁は、芯材によって閉じられ、その中央部に取っ手があり、取っ手の中心域にフックが設けてあり、内部に収納物を詰められて収納され、簡単に持ち運びも可能な２ＷＡＹタオル衣類収納バック。
【発明の詳細な説明】
【技術分野】
【０００１】  本発明は、タオルや衣類等を縦収納に関するものである。
【背景技術】
【０００２】  従来、洗面所や脱衣所など、狭い場所でのタオルや着替え等を収納する為に、収納家具や什器など設置し、場所を取る為により一層狭い場所にしていた。
なお、収納家具としてタオル収納ボックスが知られている。（特許文献１参照）。
【先行技術文献】
【特許文献】
【０００３】
【特許文献１】特開２００４−２４９０４８号公報
【発明の概要】
【発明が解決しようとする課題】
【０００４】  収納家具は狭い場所でも便利に収納された物を取り出せる家具であるが、特許文献１の様に、家具であるために設置場所のスペース確保が重要で採寸する必要があり、設置スペースがなければ設置不可能だった。
本発明は、以上の問題点を解決するためになされたものである。
【課題を解決するための手段】
【０００５】  上端に取っ手を有して手に提げて持つ袋体であって、左右両側は上下へほぼ全開閉できるファスナー等の開閉具が設けてあり、上端縁は、芯材によって閉じられ、その中央部に取っ手があり、取っ手の中心域にフックが設けてあり、内部に収納物が詰められた時には、裾広がりに収納され、内部壁面全体に、滑りのよいシート材が施してある。通常は、両側面の一方は常時閉じられた状態で使用されるが、必要に応じ、左右側面共に必要な広さだけ開けた状態で使用される。
以上の構成よりなる２ＷＡＹタオル衣類収納バックである。
【発明の効果】
【０００６】  本体は家具とは違い軽量なので、フックか取っ手を選択し、クローゼットや脱衣所などの狭い場所の壁やドアなどに設置可能の為、細かい寸法を測らず、スペースを気にせずに設置が可能である。
補充も横から簡単に出来るのでいつも同じタオルや衣類ではなく、最下端から順次使用し、取り出した空間は上から落ちてくる次の物によって自ずと埋められて、次の取り出しを待機する。
開閉具を動かす事によって出し入れするサイズを簡単に変更可能の為、タオルや衣類の大きさを気にせずに出し入れが出来、一つだけでなく二つ以上同時に取り出す事も可能である。
本発明は、旅行などの為にスーツケースにタオルや衣類が入った状態のまま持参する事も可能で、バスルームなどのドアフックやクローゼットに掛けて、そのまま利用可能である。
【図面の簡単な説明】
【０００７】
【図１】本発明の開閉具を少し開けた状態で内側が少し見える状態を示す斜視図
【図２】本発明の使用状態を示す斜視図
【図３】本発明の収納物が突き出た使用状態を示す斜視図
【発明を実施するための形態】
【０００８】  以下、本発明の実施の形態を説明する。
（イ）上端に取っ手を有して手に提げて持つ袋体（１）であって、左右両側は上下へほぼ      全開閉できるファスナー等の開閉具（４）が設けてあり、上端縁は、芯材（６）を      設け閉じられてある。
（ロ）その中央部に取っ手（２）と、取っ手の中心域にフック（３）を設ける。
（ハ）内部に収納物が詰められた時には、裾広がりに収納され、内部壁面全体に、滑りの      よいシート材（５）が施してある。
（ニ）通常は、両側面の一方は常時閉じられた状態で使用されるが、必要に応じ、左右側      面共に必要な広さだけ開けた状態で使用される。
本発明は以上のような構造である。
本発明を使用するときは、収納するタオルやＴシャツ等の衣類（７）をロール状に丸める等して長辺の横から収納し、取り出すタオルや衣類の大きさにより開閉具の大きさを変えて取り出す事が可能である。
取っ手やフックを壁やドアフックなどに掛けたり、クローゼットのハンガー掛けにかけそのまま利用可能である。
さらに旅行などのスーツケースに仕分けせずに、衣類やタオルを収納されたままの状態で入れることが出来、ホテルなどのクローゼットやバスルームのドアフックにそのままかける事が可能で、トランクを度々開けずに必要な分だけ使いやすく取り出しが可能である。そのままトランクに詰めて、帰りもそのまま持って帰ることが出来る持ち運びも可能な収納バックである。
【符号の説明】
【０００９】  １  生地材などの袋体
２  取っ手
３  フック
４  開閉具
５  薄いシート材
６  芯材
７  タオル等衣類
【図１】
2020075065.tif 000003
【図２】
2020075065.tif 000004
【図３】
2020075065.tif 000005
(57)【要約】【課題】ゴミ箱の大きさ、形、素材などに関係なくどのゴミ箱にも使える汎用性があり、簡単に取り付けられ、すっきり綺麗に見せるゴミ箱のビニールの取付方法を提供することである。【解決手段】本発明に係るゴミ箱のビニール袋の取付方法は、ゴミ箱に掛けるビニール袋に紐を通しその紐をコードロックに通してビニール袋を引っ張りゴミ箱に取り付けたビニール袋をすっきり綺麗に見せることで問題を解決した。【選択図】図３
2020075812.tif 000002
【特許請求の範囲】
【請求項１】
ゴミ箱の内側にビニール袋を入れゴミ箱の淵に掛け外側に出たビニール袋部分を一般的なコードロックを使用して引っ張ることでゴミ箱に取り付けたビニール袋をすっきり綺麗にみせるゴミ箱のビニール袋の取付方法。
【発明の詳細な説明】
【技術分野】
【０００１】  本発明は、手提げ付きレジビニール袋などビニール袋をゴミ箱に取り付けた際、外側に出るビニールを綺麗に見せるゴミ箱のビニール袋の取付方法に関するものである。
【背景技術】
【０００２】  お店でもらう手提げ付きのレジビニール袋をゴミ箱に掛けて使用することが一般化している。しかし手提げの部分などがフラフラし煩雑に見えだらしなく見えてしまう。【０００３】  ビニール袋を綺麗に見せる方法として、ゴミ箱を２重に重ねるゴミ箱や、ゴミ箱の外にカバーを掛けるゴミ箱ベルト、内部周囲にプラスティック段ボールを囲い入れるなどのビニールを隠すゴミ箱の内側仕掛けなど様々ある。【０００４】  いずれも悪くないが、大抵の方法は専用のゴミ箱を購入するか、ゴミ箱の大きさにより一つ一つのゴミ箱に合ったものを用意する必要がある。もっと手軽に汎用性のある方法ですっきり綺麗に見せる手段が求められる。
【先行技術文献】
【０００５】
【特許文献２】特開２０１４−１１８３０５
【特許文献１】実用新案登録第３１７８９３４号
【発明の概要】
【発明が解決しようとする課題】
【０００６】  ゴミ箱の大きさ、形、素材などに関係なくどのゴミ箱にも使える汎用性があり、簡単に取り付けられ、すっきり綺麗に見せるゴミ箱のビニール袋の取付方法を提供することである。
【課題を解決するための手段】
【０００７】  本発明に係るゴミ箱のビニール袋の取付方法は、ゴミ箱に掛けるビニール袋に紐を通し、その紐をコードロックに通してビニール袋を引っ張ることで取り付けたビニール袋をすっきり綺麗に見せることで問題を解決した。
【発明の効果】
【０００８】  本発明のゴミ箱のビニール袋の取付方法は専用のゴミ箱を買い替える必要がなく使用中のゴミ箱に使用でき非常に手軽にビニールをすっきり綺麗に見せることが可能である。【０００９】  ゴミ箱など大きさ形素材デザインに拘わらず様々なゴミ箱に使用が可能であり、またビニールの大小の大きさに拘わらず使用が可能である。
【図面の簡単な説明】
【００１０】
【図１】ゴミ箱にビニールを入れビニールの手持ちの穴に紐を通しコードロックに紐の両端を入れようとしている場面を示した説明図である。
【図２】手提げ部分が短いビニール袋にコードロックで紐を締め、コードロックが紐部分で止まる場面を示している説明図である。
【図３】手提げ部分が長いビニール袋にコードロックで紐を締め、コードロックがビニールの手提げ部分もコードロックに入れ込み止まる場面を示している説明図である。
【発明を実施するための形態】
【００１１】  本発明に係るゴミ箱のビニール袋の取付方法はコードロック（コードストッパー）と紐のセットで使用する。コードロックは一般的に使用されているものであり開口部の穴は一つ口でビニールが入ることのできる穴の大きいものを使用する。
【００１２】  紐は両端を一緒にコードロックの穴に入れることができる太さであり、紐の端は取り扱い易いように熱収縮チューブで処理する。
【００１３】  ゴミ箱に手提げ付きレジビニール袋を掛け、図１のように外側に出ている手提げ用の穴両方に紐を通し１本の紐でつなげ紐の端と端を一緒に持ちコードロックの穴に通し引っ張り、引っ張れるところまで引っ張る。
【００１４】  手提げの部分が短い場合は図２のようにコードロック内は紐部分のみで止まり、手提げ部分が長い場合は図３のようにビニール袋の手提げ部分もコードロックに引っ張り入れ込んで止まるまで引っ張り入れる。
【００１５】  ゴミ箱の淵周囲のビニールがはみ出している箇所は見えないようビニールの淵に入れ込みビニールの形を整える。
【００１６】  レジ袋でない手提げ部分の無いビニール袋使用時でもビニールに熱収縮チューブで固めてある紐の先で穴を空け同様にコードロックに引っ張り使用したり、紐を使わずビニールをまとめて細くしコードロックの穴に直接ビニールをねじ入れ使用することも可能である。ただし直接入れるとビニールがコードロックの穴に差し込みずらい為紐を使うとより簡単にスムーズに入れることができる。
【００１７】  本発明はゴミ箱に取り付ける一体型ではなくビニールにぶら下げるものであり取り外しもできゴミ箱を新調の必要が無く今使用中様々な種類のゴミ箱に対応可能なものである。
【００１８】  コードロック自体は従来から広く知られた技術であり本発明ではないが、コードロックをゴミ箱のビニール留めとして取り扱っている記述は調べた限り見当たらない。コードロック単体でゴミ箱のビニール留めとして使うにはビニールを穴に通しづらく、手提げ部分が短く両側が届かなければコードロックを使うことができない。紐を使うことによりコードロックにて両端が届かない手提げビニールでも留めることができるし、コードロックの穴にもビニール自体を楽に入れることができるので紐とコードロック２つを合わせて使う発明である。
【符号の説明】
【００１９】  １  ゴミ箱
２  手提げ付きレジビニール袋
３  手持ち穴
４  紐
５  コードロック
６  コードロックの穴
【図１】
2020075812.tif 000003
【図２】
2020075812.tif 000004
【図３】
2020075812.tif 000005
(57)【要約】【課題】溶接時に発生する輻射熱によるコンタクトチップの温度上昇を抑制し、コンタクトチップの母材の軟化を防止するとともに、コンタクトチップの先端表面を硬化することにより、コンタクトチップ先端の孔径の拡大を防止しすることができるコンタクトチップを提供すること。【解決手段】挿通孔２を開口した先端表面４にショットピーニングによる硬化処理を施したコンタクトチップ１の母材３に電気メッキ被膜を施した。また前記コンタクトチップ１の母材３に施した電気メッキ被膜５の上にスパッタ付着防止剤のコーティング層６を形成した。【選択図】図２
2020075285.tif 000002
【特許請求の範囲】
【請求項１】
溶接用ワイヤを挿通する挿通孔を形成し、この挿通孔にて溶接用ワイヤを案内するとともに、溶接電流を供給するコンタクトチップにおいて、前記挿通孔を開口した先端表面にショットピーニングによる硬化処理を施したコンタクトチップの母材に電気メッキ被膜を施したことを特徴とするコンタクトチップ。
【請求項２】
前記コンタクトチップの母材に施した電気メッキ被膜の上にスパッタ付着防止剤のコーティング層を形成したことを特徴とする請求項１記載のコンタクトチップ。
【発明の詳細な説明】
【技術分野】
【０００１】  本発明は、アーク用溶接において、溶接用ワイヤを案内するとともに、溶接電流を供給するコンタクトチップに関するものである。
【背景技術】
【０００２】  従来、この種のコンタクトチップとして特許文献１には、銅、銅合金製のコンタクトチップに溶接ワイヤが挿通される挿通孔を形成したものが記載されている。【０００３】  このようなものでは、表面を硬化するためメッキを施しているが、細い挿通孔の内部まで被膜が形成されるようにニッケルボロンメッキを施していた。
【先行技術文献】
【特許文献】
【０００４】
【特許文献１】特開２０００−００５８７８号公報
【発明の概要】
【発明が解決しようとする課題】
【０００５】  前記のものでは、溶接時に発生する熱により、コンタクトチップの温度が上昇し、母材５１が軟化して溶接ワイヤの送り出しによりコンタクトチップの挿通孔先端部の孔径が拡大していくという問題があった。【０００６】  本発明は、前記の問題を解決し、溶接時に発生する熱によるコンタクトチップの温度上昇を抑制し、コンタクトチップの母材の軟化を防止するとともに、コンタクトチップの先端表面を硬化することにより、コンタクトチップ先端の孔径の拡大を防止しすることができるコンタクトチップを提供することを目的になされたものである。
【課題を解決するための手段】
【０００７】  上記課題を解決するためになされた本発明のコンタクトチップは、溶接用ワイヤを挿通する挿通孔を形成し、この挿通孔にて溶接用ワイヤを案内するとともに、溶接電流を供給するコンタクトチップにおいて、前記挿通孔を開口した先端表面にショットピーニングによる硬化処理を施したコンタクトチップの母材に電気メッキ被膜を施したことを特徴とするものである。【０００８】  なお、前記コンタクトチップの母材に施した電気メッキ被膜の上にスパッタ付着防止剤のコーティング層を形成することが望ましく、これを請求項２に係る発明とする。
【発明の効果】
【０００９】  請求項１の発明では、挿通孔を開口した先端表面にショットピーニングによる硬化処理を施したコンタクトチップの母材に電気メッキ被膜を施したことにより、溶接時に発生する輻射熱によるコンタクトチップの温度上昇を抑制し、温度上昇によるコンタクトチップの母材の軟化を防止するとともに、コンタクトチップの先端表面を硬化することにより挿通孔先端部の孔径の拡大を防止でき、コンタクトチップの寿命が長くなるという効果がある。【００１０】  請求項２の発明では、前記コンタクトチップの母材に施した電気メッキ被膜の上にスパッタ付着防止剤のコーティング層を形成したことにより、スパッタの付着を防止できるとともに、付着したスパッタを弱い力にて剥離することができるので、コンタクトチップの母材より軟質の材料のスパッタ剥離部材を有するクリーナにてスパッタを簡単に剥離することができ、かつスパッタ剥離時にコンタクトチップを傷つける恐れがないという効果がある。
【図面の簡単な説明】
【００１１】
【図１】本発明の実施の形態のコンタクトチップの断面図である。
【図２】図１の先端部の拡大断面図である。
【発明を実施するための形態】
【００１２】  以下、本発明の好ましい実施の形態について図１と図２に基づいて説明すると、１は軸方向中心部を貫通する、図示されていない溶接用ワイヤを挿通する挿通孔２を形成した銅、銅合金製のコンタクトチップである。
【００１３】  次に、図２にてコンタクトチップ１の表面処理について説明すると、コンタクトチップ１の母材３の挿通孔２が開口する先端表面４には、無数の鉄鋼或いは非鉄金属の小さな球体を高速で金属表面に衝突させて金属表面を硬化するショットピーニング処理にて表面硬化処理が施されている。
【００１４】  さらに、先端表面４に表面硬化処理が施されたコンタクトチップ１の母材３の表面には電気ニッケルメッキ等のスパッタ（溶融鉄）より放射率が小さい電気メッキ被膜５が施され、このメッキ被膜５の上に潤滑剤、極圧潤滑剤等のスパッタ付着防止剤のコーティング層６が形成されている。
【００１５】  次に熱伝導について説明すると、溶接時に発生する熱の中でコンタクトチップ１に伝導される熱の多くは輻射熱によるものであり、遠赤外線の熱が内部に吸収され易いので、本発明では放射率の低い、即ち遠赤外線の反射率が高い電気ニッケルメッキ被膜５を施している。
【００１６】  メッキ被膜５として、従来は挿通孔２内部までほぼ均等の被膜が形成できるニッケルボロンメッキを施しており、電気ニッケルメッキは挿通孔２が細いため挿通孔２内に被膜が形成されないので採用されていないが、本発明では、ショットピーニングにてコンタクトチップ１の母材３の挿通孔２が開口した先端面４を硬化処理しているので、挿通孔２の孔径の拡大を防止できる。
【００１７】  以上のように、挿通孔２を開口した先端表面４にショットピーニングによる硬化処理を施したコンタクトチップ１の母材３に電気メッキ被膜を施したことにより、溶接時に発生する輻射熱によるコンタクトチップ１の温度上昇を抑制し、温度上昇によるコンタクトチップ１の母材３の軟化を防止するとともに、コンタクトチップ１の先端表面４を硬化することにより挿通孔２の先端部の孔径の拡大を防止できコンタクトチップ１の寿命を大幅に伸ばすことができる。
【００１８】  また、前記コンタクトチップ１の母材３に施した電気メッキ被膜５の上にスパッタ付着防止剤のコーティング層６を形成したことにより、スパッタの付着を防止できるとともに、付着したスパッタを弱い力にて剥離することができるので、コンタクトチップ１の母材３より軟質の材料のクリーナにてスパッタを簡単に剥離することができ、かつスパッタ剥離時にコンタクトチップ１を傷つける恐れがない。
【符号の説明】
【００１９】  １  コンタクトチップ
２  挿通孔
３  母材
４  電気メッキ被膜
５  コーティング層
【図１】
2020075285.tif 000003
【図２】
2020075285.tif 000004
(57)【要約】      （修正有）【課題】浴室用リモコンや浴室用テレビといった電子機器を、浴室内の壁面に固定するための取付穴やネジが、機器外部に露出することなく浴室に取り付け可能にする。【解決手段】浴室用リモコン１の前面に、前後方向に移動して押し操作するための可動片３を設けると共に、この可動片３によって取付穴２とネジ２１とを覆い隠すようにした。【選択図】図１
2020098868.tif 000002
【特許請求の範囲】
【請求項１】
内部に電子回路を収納した状態で前ケースと後ケースとが相互に密着したケース本体を備え、このケース本体に前後方向に貫通した取付穴が設けられ、かつ、上記前ケースの前面に上記電子回路に接続されたスイッチの押圧部分が配設され、さらに、前後方向に移動してこの押圧部分を押し操作する可動片を上記押圧部分の前方に設けた電子機器において、上記可動片を上記前ケースに取り付けるとともに、この可動片を前ケースに取り付けた状態で可動片によって隠される位置に上記取付穴を形成したことを特徴とする電子機器。
【請求項２】
上記前ケースは樹脂による射出成型によって形成されており、上記押圧部分はこの前ケースと一体に成型されたエラストマで形成されていることを特徴とする請求項１に記載の電子機器。
【請求項３】
上記可動片は上記前ケースに対して着脱自在に取り付けられていることを特徴とする請求項１または請求項２に記載の電子機器。
【発明の詳細な説明】
【技術分野】
【０００１】
本発明は、例えば浴室内の壁面にネジ止めされる風呂リモコンや浴室テレビなどの電子機器に関する。
【背景技術】
【０００２】
従来のこの種の電気機器は、内部に電子回路が格納された状態で前ケースと後ケースとが相互に密着されたケース本体を備えている。そして、このケース本体を壁面に固定するために、ケース本体に前後方向に貫通した取付穴が形成されている。そして、ケース本体を壁面の所定の位置にあてがった状態で取付穴に対して前方からネジを挿通し、そのネジによってケース本体を壁面にネジ止めしている。
【０００３】
ただし、そのままの状態ではネジが外部に露出するので、主にネジを隠すために前ケースの前面全体を覆う化粧カバーを取り付けている。なお、前ケースには上記内蔵されている電子回路に接続され、電子回路に対して操作を行うための各種スイッチの押圧部分が設けられており、その押圧部分を直接指で押し操作するタイプのものであれば、押圧部分を前方に露出させるための開口が上記化粧カバーに形成されており（例えば、特許文献１を参照）、前後方向に移動する可動片を介して押圧部分を押し操作するタイプのものでは、押圧部分ごとの可動片が上記化粧カバーに取り付けられている（例えば、特許文献２参照）。
【先行技術文献】
【特許文献】
【０００４】
【特許文献１】特開２００４−３６３２８２号公報（図２）
【特許文献２】特開２００８−２１２３７６号公報（図２）
【発明の概要】
【発明が解決しようとする課題】
【０００５】
上記従来の電子機器では、化粧カバーは前ケースの前面すべてを覆い隠すように形成されているので、大きさが前ケースとほぼ同じ大きさになり、大型化する。そのため、化粧カバーのコストが高くなるばかりか、化粧カバーを装着した状態の電子機器の前後方向の厚みが厚くなるという不具合が生じる。
【０００６】
そこで本発明は、上記の問題点に鑑み、化粧カバーを用いることなく取付用のネジを外部に露出させない電子機器を提供することを課題とする。
【課題を解決するための手段】
【０００７】
上記課題を解決するために本発明による電子機器は、内部に電子回路を収納した状態で前ケースと後ケースとが相互に密着したケース本体を備え、このケース本体に前後方向に貫通した取付穴が設けられ、かつ、上記前ケースの前面に上記電子回路に接続されたスイッチの押圧部分が配設され、さらに、前後方向に移動してこの押圧部分を押し操作する可動片を上記押圧部分の前方に設けた電子機器において、上記可動片を上記前ケースに取り付けるとともに、この可動片を前ケースに取り付けた状態で可動片によって隠される位置に上記取付穴を形成したことを特徴とする。
【０００８】
ケース本体に設けた取付穴を、ケース本体の前面を覆う化粧カバーではなくスイッチの押圧部分を押し操作するための可動片で隠すようにした。
【０００９】
上記押圧部分はケース本体の密閉性を確保するため、上記前ケースは樹脂による射出成型によって形成されており、上記押圧部分はこの前ケースと一体に成型されたエラストマで形成されていることが望ましい。
【００１０】
また、上記可動片は上記前ケースに対して着脱自在に取り付けられていれば、電子機器の壁からの取り外しに便利である。
【発明の効果】
【００１１】
以上の説明から明らかなように、本発明は、化粧カバーを用いないので、化粧カバーの作成のためのコストを削減することができ、また、電子機器の前後方向の厚みが不必要に厚くなることを防止できる。
【図面の簡単な説明】
【００１２】
【図１】本発明の一実施の形態の構成を示す図
【発明を実施するための形態】
【００１３】
図１を参照して、１は本発明による電子機器の一例である浴室用リモコンである。この浴室用リモコン１は前ケース１１と後ケース１２とが双方に密着しており、内部の空間は防水状態が確保されている。なお、この浴室用リモコン１には、図示しない制御用の電子回路が内蔵されている。この浴室用リモコン１の左右には、各々取付穴２が前後方向に貫通して設けられている。そして、この浴室用リモコン１は両取付穴２に挿通されるネジ２１によって壁面に固定されるように構成されている。
【００１４】
この浴室用リモコン１の前面には、複数個の操作用の可動片３が前後方向に揺動するように取付られている。具体的には、可動片３の裏面側に、上下一対の枢軸３１が設けられており、浴室用リモコン１の前面に設けられた枢支部１３にこれら枢軸３１が着脱自在に嵌め込まれることによって、可動片３は枢軸３１を中心に前後方向に揺動することができる。
【００１５】
上記取付穴２は上述の複数個の可動片３のうちの左右１個ずつによって隠れる位置に設けられている。従って、取付穴２および取付穴２に挿通されているネジ２１はともに可動片３によって覆われ、外部に露出しない。なお、浴室用リモコン１を壁面から取り外す際には、左右の可動片３を浴室用リモコン１の前面から取り外して、ネジ２１を露出させ、そのネジ２１を緩めることによって浴室用リモコン１を壁面から取り外す。
【００１６】
上記可動片３によって覆い隠される位置にエラストマ４が、前ケース１１を射出成形する際に同時に鋳込み成形されている。このエラストマ４の裏側には、図示しないスイッチの押圧部分が配設されている。従って、可動片３を前方から後方に向かって押圧すると、エラストマ４を介して上記スイッチの押圧部分が押し操作されることになる。このスイッチは、浴室用リモコン１に内蔵されている上述の電子回路に接続されており、可動片３を押し操作することによって、浴室用リモコン１に対して所定の操作をすることができる。
【００１７】
なお、本発明は上記した形態に限定されるものではなく、本発明の要旨を逸脱しない範囲内において種々の変更を加えてもかまわない。
【符号の説明】
【００１８】
１ 浴室用リモコン
２ 取付穴
３ 可動片
４ エラストマ
１１ 前ケース
１２ 後ケース
１３ 枢支部
３１ 枢軸
【図１】
2020098868.tif 000003
(57)【要約】【課題】  高音質で音楽を楽しむために４系統音声ワイヤレスイヤホンを提供する【解決手段】  片方に２つのスピーカーを付けることを特微とする【選択図】図１
2020145757.tif 000002
【特許請求の範囲】
【請求項１】
４系統音声を備えたワイヤレスイヤホン
【発明の詳細な説明】
【技術分野】
【０００１】この発明は４系統音声ワイヤレスイヤホンに関するものである
【背景技術】
【０００２】従来ワイヤレスイヤホンは２系統音声であった
【先行技術文献】
【０００３】
【特許文献１】
【非特許文献１】
【発明の概要】
【発明が解決しようとする課題】
【０００４】これは次のような欠点があった
（イ）２系統音声ワイヤレスイヤホンだけでは表現するには限りがあった
本発明は、以上のような欠点をなくすためになされたものである
【課題を解決するための手段】
【０００５】ワイヤレスイヤホンを４つのスピーカーに分けなければならない
本発明は、以上の構成によりなる４系統音声ワイヤレスイヤホンである
【発明の効果】
【０００６】（イ）高音質で音楽を楽しめる
【図面の簡単な説明】
【０００７】
【図１】本発明の見取り図である
【発明を実施するための形態】
【０００８】以下、本発明を実施するための最良の形態を説明する
（１）ワイヤレスイヤホンの片方に２つの（２）スピーカーを付ける
本発明は、以上のような構造である
【符号の説明】
【０００９】１  ワイヤレスイヤホン
２  スピーカー
【図１】
2020145757.tif 000003
(57)【要約】【課題】  茶の生葉は、従来は摘採後に熱処理を行うことで酸化酵素の活性を止めて加工していたが、熱処理による加工では、生葉の形や成分が変化・変質してしまうため、生葉を摘んだときと同様の形状や色、味を保ったまま常温で長期間保存が可能なフリーズドライ茶葉の製造方法を提供する。【解決手段】  生葉を真空凍結乾燥する工程において、真空凍結乾燥機の棚温度を０〜５０℃にし、１０〜４８時間かけて乾燥することで、生葉の水分を１０％未満とすることを特徴とする、生葉様フリーズドライ茶葉の製造方法。【選択図】なし【特許請求の範囲】
【請求項１】
生葉を真空凍結乾燥することで、生葉の水分を１０％未満とすることを特徴とする、生葉様フリーズドライ茶葉の製造方法。
【請求項２】
生葉を真空凍結乾燥する工程において、真空凍結乾燥機の棚温度を０〜５０℃にし、１０〜４８時間かけて乾燥することを特徴とする、請求項１に記載の製造方法。
【請求項３】
生葉を真空凍結乾燥する前に、冷凍することを特徴とする、請求項１又は２に記載の製造方法。
【請求項４】
水分が１０％未満であることを特徴とする、生葉様フリーズドライ茶葉。
【発明の詳細な説明】
【技術分野】
【０００１】
本発明は、緑茶の生葉を凍結乾燥したフリーズドライ茶葉及びその製造方法に関する。より詳細には、生葉の形状や色を保ったまま凍結乾燥した茶葉及びそれを製造する方法に関する。
【背景技術】
【０００２】
茶の生葉は、生葉酸化酵素の働きによって変化（発酵）してしまうため、従来は摘採後に熱処理を行うことで酸化酵素の活性を止めて加工していた。
【０００３】
一方、茶の生葉は、採取後すぐに冷凍すれば、１年程度の保存が可能であった。
【０００４】
また、常温で緑茶を保存する方法として、茶葉を凍結乾燥させた後、粉砕し、粉末茶添加物を製造する方法が知られていた（特許文献１）。
【先行技術文献】
【特許文献】
【０００５】
【特許文献１】特開２０１８−０２９５６２号公報
【発明の概要】
【発明が解決しようとする課題】
【０００６】
しかしながら、熱処理による加工では、生葉の形や成分が変化・変質してしまうという問題があった。
【０００７】
また、粉末茶添加物は、粉末状の緑茶とするために、通常の方法により製造した粉末茶と混合しなければならなかった。さらに、生葉の形状を保ったまま長期間保存することができなかった。
【０００８】
本発明は、生葉を摘んだときと同様の形状や色、味を保ったまま常温で長期間保存が可能なフリーズドライ茶葉及びその製造方法を提供することを目的とする。
【課題を解決するための手段】
【０００９】
本発明は、第一に、生葉を真空凍結乾燥することで、生葉の水分を１０％未満とすることを特徴とする、生葉様フリーズドライ茶葉の製造方法である。
第二に、生葉を真空凍結乾燥する工程において、真空凍結乾燥機の棚温度を０〜５０℃にし、１０〜４８時間かけて乾燥することを特徴とする、上記第一に記載の製造方法である。
第三に、生葉を真空凍結乾燥する前に、冷凍することを特徴とする、上記第一又は第二に記載の製造方法。
第四に、水分が１０％未満であることを特徴とする、生葉様フリーズドライ茶葉である。
【００１０】
本発明における生葉様フリーズドライ茶葉とは、生葉を摘んだときと同様の形状や色、味を有するフリーズドライした茶葉をいう。
【００１１】
本発明においては、通常の生の茶葉は摘採後２〜３時間という短時間で色や成分の変化が起こるため、生葉を摘採後できる限り短時間で冷凍してもよい。摘採後の生の茶葉をそのまま真空凍結乾燥することもできるが、摘採後すぐに真空凍結乾燥機に入れる必要があり、また、フリーズドライ茶葉の製造がお茶の摘採シーズンに限定されることとなる。
【００１２】
次に、必要に応じて冷凍した生葉を真空凍結乾燥する工程において、真空冷却後、真空凍結乾燥機の棚温度を０〜５０℃にし、１０〜４８時間かけて乾燥する。温度が５０℃より高いと茶葉が変色する恐れがあり、０℃より低いと乾燥が不十分になる可能性が高い。また、１０時間未満の乾燥では茶葉の水分が十分低くならない。
【００１３】
そして、このように、フリーズドライ製法を用いて低温状態で乾燥させることによって生葉本来の形や成分のまま保存・活用できるようになる。
【００１４】
本発明においては、フリーズドライ茶葉の水分を１０％未満とする。茶葉の水分が１０％以上ではすぐに変色し長期間保存することができない。
【発明の効果】
【００１５】
本発明によると、生葉を摘んだときと同様の形状や色、味を保ったまま常温で長期間保存が可能なフリーズドライ茶葉及びそれを製造する方法を提供することができる。
【発明を実施するための形態】
【００１６】
生茶葉を摘採後、２時間以内に冷凍した。次に、冷凍した茶葉を３５０ｍｍ×２１０ｍｍのトレイに１２０ｇ〜１５０ｇ載せ、真空凍結乾燥機（共和真空技術株式会社製、ＲＬＥ２）にセットし、棚冷却を開始し棚温度が−４０℃以下となるようにした。その後、コールドトラップ（ＣＴ）冷却を開始しＣＴ温度が−５０℃となるようにした。そして、真空引きを開始後に引口弁を少しずつ開き、１３．３Ｐａ以下且つＣＴ温度−５０℃以下にした。次に、表１の温度及び時間で棚加熱を行った。最後に、引口弁を閉めた後に、真空引きとＣＴ冷却を停止した。
【００１７】
得られた凍結乾燥茶葉について、常圧加熱乾燥法により水分を測定した。結果を表１に示す。
【００１８】
【表１】
2020188725.tif 000002
【００１９】
得られた凍結乾燥茶葉について形状と色を確認したところ、実施例１〜１７により得られた本発明品、比較例１〜２により得られた比較品のいずれも生葉を摘んだときと同様の形状や色を保ったままであった。しかし、比較品は１０日目には変色してしまった。一方、本発明品は、６か月後においても生葉を摘んだときと同様の形状と色を保ったままであった。
【００２０】
さらに、本発明品は、熱処理しないことから成分はカテキン８種類に関して生葉とほぼ同じであった。また、生葉と比較して味はそのままで、乾燥している分食べやすい食感であった。